(57)【特許請求の範囲】
【請求項１】
アパーチャ（４４）を有する引張マスク（３０）と、上記引張マスクにおける振動エネルギーを減少させるスプリット・フート・ダンパ（５０）とを有するＣＲＴ（１０）装置であって：
上記引張マスクは、エッジ（４７）を有する枠（４５）を含み、
上記ダンパは、
上記枠の表面に可動に接触する第１の部分（５６）と、上記枠の上記エッジに可動に接触する第２の部分（５８）とを有する第１の素子（５２）であり、上記第１の部分及び第２の部分が分離している、第１の素子；並びに
上記枠の表面に可動に接触する第３の部分（６０）と、上記枠の上記エッジに可動に接触する第４の部分（６２）とを有する第２の素子（５４）であり、上記第３の部分及び第４の部分が分離している、第２の素子；
を有し、
上記第１の素子は上記枠の上記表面にある領域で上記第２の素子に接続され、前記第1及び第3の部分（５６，６０）が前記アパーチャ部へと移動することが防止される装置。
【請求項２】
上記第１の素子（５２）は、第１の外端（６６）及び第１の内端（６８）を含む第１のアーム部（６４）を有する請求項１記載の装置。
【請求項３】
上記第２の素子は、第２の外端（７４）及び第２の内端（７６）を含む第２のアーム部（７２）を有する請求項１記載の装置。
【請求項４】
第１のレッグ部（７０）が、上記第１のアーム部から延在し上記第１の部分及び上記第２の部分を形成する請求項２記載の装置。
【請求項５】
第２のレッグ部（７８）が、上記第２のアーム部から延在し上記第３の部分及び上記第４の部分を形成する請求項３記載の装置。
【請求項６】
上記第１の部分は上記第２の部分よりも大きい請求項１記載の装置。
【請求項７】
上記第３の部分は上記第４の部分よりも大きい請求項１記載の装置。
【請求項８】
第１の複数のリング（８６）が、上記第１のアーム部上の第１の複数のアパーチャ（８４）に配置される請求項２記載の装置。
【請求項９】
第２の複数のリング（９４）が、上記第２のアーム部上の第２の複数のアパーチャ（９２）に配置される請求項３記載の装置。
【請求項１０】
上記第１の部分と上記第２の部分との間に隙間（１００）がある請求項１記載の装置。
【請求項１１】
上記第３の部分と上記第４の部分との間に隙間（１００）がある請求項１記載の装置。
【発明の詳細な説明】
【０００１】
【発明の属する技術分野】
本発明は、陰極線管（ＣＲＴ）に係わり、より特定的には陰極線管（ＣＲＴ）の引張マスクにおける振動エネルギーを減衰させるスプリット・フート・ダンパに関わる。
【０００２】
【従来の技術】
カラー受像管は、管のスクリーンに対して３つの電子ビームを形成し方向付ける電子銃を含む。スクリーンは、管のフェースプレートの内表面に位置し、３つの異なる色を発光する蛍光体の素子のアレイを有する。各電子ビームがそのビームと関連のある蛍光素子だけに当たるよう、銃とスクリーンとの間にアパーチャマスクが介在する。アパーチャマスクは、管のフェースプレートの内表面に対して幾らか平行に輪郭がつけられている合金鋼のような金属の薄いシートである。アパーチャマスクは、形成されてもよく、又は、引っ張られてもよい。
【０００３】
アパーチャマスクは、外部源（例えば、管の近傍にあるスピーカー）から振動を受ける。このような振動は、電子ビームが通るアパーチャの位置を変化させ、結果として、可視の表示のゆらぎが生ずる。理想的には、これら振動は、工業上利用できる受像管を生成するために除去、又は、少なくとも緩和される必要がある。
【０００４】
【発明が解決しようとする課題】
本発明は、引張マスクと、縁を有する引張マスクにおける振動エネルギーを減少させるスプリット・フート・ダンパとを有するＣＲＴを提供することを目的とする。
【０００５】
【課題を解決するための手段】
本発明は、引張マスクと、縁を有する引張マスク中の振動エネルギーを減少させるスプリット・フート・ダンパとを有するＣＲＴを提供する。装置は、スクリーン上のしま状蛍光体に対する電子ビームの位置のずれを生じさせる陰極線管内のマスクの振動を制御する。これら振動を減衰する必要性は、陰極線管の正しい操作に重要である。
【０００６】
より特定的には、スプリット・フート・ダンパは、縁の表面と可動に接触する第１の部分及び縁のエッジと可動に接触する第２の部分を有する第１の素子と、縁の表面と可動に接触する第３の部分及び縁のエッジと可動に接触する第４の部分を有する第２の素子とを有し、２つの素子は、縁の表面の点で互いに接続される。マスクが振動すると、振動エネルギーは装置に伝達され、このとき振動エネルギーは装置が縁の表面及びエッジに対してこすられると散らされる。
【０００７】
【発明の実施の形態】
本発明の教授は、添付の図面と共に以下の詳細な説明を考慮することで容易に理解されるであろう。
【０００８】
理解を容易にするために、図面に共通の同一の素子を示すために可能な場合には同一の参照番号が使用される。
【０００９】
図１は、長方形のファンネル１８によって接続されている長方形のフェースプレートパネル１４及び管状のネック部１６を有するガラス製の外囲器１２を有する。ファンネル１８は、陽極ボタン２０からネック部１６に延在する内部導電性コーティング（図示せず）を有する。パネル１４は、ビューイングフェースプエート２２及びガラスフリット２６によってファンネル１８に密閉される周辺フランジ又は側壁２４を有する。三色蛍光スクリーン２８は、フェースプレート２２の内表面によって保持される。スクリーン２８は、蛍光ラインが三つ組に配置される、ラインスクリーンであり、各三つ組は三色夫々の蛍光ラインを含む。引張マスク３０は、スクリーンに対して所定の間隔に配置される関係で取り外し可能に取り付けられる。マスクは、引張フォーカスマスク又は引張マスクのいずれでもよい。電子銃３２（図１中破線によって概略的に示す）は、中央のビーム及び２つのサイドビームである３つのインライン電子ビームをマスク３０からスクリーン２８までの集束路の方向に生成するためにネック部１６内に中心的に取り付けられる。
【００１０】
管１０は、ファンネルからネック接合部の近傍に示すヨーク３４のような外部の磁界偏向ヨークと使用されるよう設計される。ヨーク３４は、活性化されると３つのビームに磁界を受けさせ、ビームはスクリーン２８上で長方形のラスタに水平方向及び垂直方向に走査させる。
【００１１】
図２に示すように、引張マスク３０は、２つの長辺３６及び３８と、２つの短辺４０及び４２とを含む周辺フレーム（図示せず）に相互接続される。フレームの２つの長辺３６及び３８は、管の中央の長軸Ｘに平行であり、２つの短辺４０及び４２は管の中央の短軸Ｙに平行である。長軸及び短軸は、マスク３０の面に沿っている。引張マスク３０は、マスクの短軸に対して平行となる多数の細長いスリットを間に有する複数の金属ストリップを含むアパーチャ部分４４（アパーチャは図示せず）を含む。引張マスク３０は、エッジ４７を有する縁又は枠４５を含む。
【００１２】
図３は、スプリット・フート・ダンパ（足部（フート）が分離している（スプリット）しているダンパ）５０を示す図である。特に、スプリット・フート・ダンパ５０は、縁４５の表面と可動に接触する第１の部分５６及び縁４５のエッジ４７と可動に接触する第２の部分５８を含む第１の素子５２を有する。第２の素子５４は、縁４５の表面と可動に接触する第３の部分６０及び縁４５のエッジ４７と可動に接触する第４の部分６２を有する。第1、第２、第３及び第４の部分は足部を構成する。
【００１３】
第１の素子５２及び第２の素子５４は、縁４５の表面に付いている中央領域又は点Ｃで互いに接続している。スプリット・フート・ダンパ５０は、短辺４０、４２でマスク３０の縁４５に結合される。より特定的には、スプリット・フート・ダンパ５０は、例えば、中央領域又は点Ｃで溶接することで縁４５に取り付けられる。
【００１４】
一実施例では、第１の素子５２は、第１の外端６６及び第１の内端６８を含む第１のアーム部６４を有する。第１の部分５６及び第２の部分５８を有する第１のレッグ部は、第１のアーム部６４の外端６６から下向きに延在する。第１のレッグ部７０の第１の部分５６は、縁４５の表面と可動に接触している（図４参照）。第２の部分５８は、第１の部分５６の下で角が付けられ、縁４５のエッジ４７と可動に接触している。
【００１５】
別の実施例では、マスク３０上で振動エネルギーがないとき縁４５のエッジ４７と第２の部分５８及び第４の部分６２が接触しないことを確実にするために、第１の部分５６と第２の部分５８、及び、第３の部分６０と第４の部分６２との間に隙間１００がある。
【００１６】
代替の実施例では、第１の部分５６と第２の部分５８との間、及び、第３の部分６０と第４の部分６２との間には隙間１００がない。その代わりに、第１の部分５６及び第３の部分６０は、第１の部分５６及び第３の部分６０の一部が縁４５のエッジ４７からぶら下がるよう位置決めされる。それにより、スプリット・フート・ダンパ５０に振動エネルギーが伝えられない限り、縁４５のエッジ４７と第２の部分５８及び第４の部分６２が接触することを防止する。
【００１７】
第２の素子５４は、第２の外端７４及び第２の内端７６を有する第２のアーム部７２を有する。第３の部分６０及び第４の部分６２を有する第２のレッグ部７８は、第２のアーム部７２の外端７４から下向きに延在する。第２のレッグ部７８の第３の部分６０は、縁４５の表面と可動に接触している。第４の部分６２は、第３の部分６０の下で角が付けられ、縁４５のエッジ４７と可動に接触している。
【００１８】
第１の部分５６及び第３の部分６０がマスク３０の面において振動するとき、第２の部分５８及び第４の部分６２の角のある曲げは、第１の部分５６及び第３の部分６０がマスク３０のアパーチャされた部分４４に移動し電子ビームを遮ることを防止する。
【００１９】
本発明の第１の実施例では、第１の部分５６及び第３の部分６０は、第２の部分５８及び第４の部分６２より大きくてもよい。第２の実施例では、第２の部分５８及び第４の部分６２は、第１の部分５６及び第３の部分６０と同じ大きさでもよい。第３の実施例では、第２の部分５８及び第４の部分６２は、第１の部分５６及び第３の部分６０より大きくてもよい。しかしながら、好ましい実施例では、第１の部分５６及び第３の部分６０と第２の部分５８及び第４の部分６２との間の大きさにおける比は、約４対１である。
【００２０】
部分８０は、第１のアーム部６４の内端６８を第２のアーム部７２の内端７６に接続する。部分８０は、スプリット・フート・ダンパ５０の中心の近くに位置する。部分８０は、領域又は点Ｃで縁４５の表面についている。或いは、部分８０は、Ｖ形状、又は、縁４５の表面と接触するトラフを有する幾つかの他の形状でもよい。
【００２１】
スプリット・フート・ダンパ５０は、ステンレススチール、アンバー等からなり得る。更に、スプリット・フート・ダンパ５０は、一定の幅を有するストリップストックから製造され得、結果として無駄になる材料が少ない。
【００２２】
本発明の好ましい実施例では、第１のアーム部６４は、第１の複数のアパーチャ８４を上に有する。第１の複数のリング８６からのリングは、第１の複数のアパーチャ８４における各アパーチャ内に配置され、第１の内側リング８８及び第２の外側リング９０を有する。第１の複数のリング８６は、２つのリングとして例示的に示されているが、当業者は、少なくとも一つのリングが使用されても本発明の範囲内となることを理解するであろう。
【００２３】
第２のアーム部７２は、第２の複数のアパーチャ９２を上に有する。第２の複数のリング９４からのリングは、第２の複数のアパーチャ９２における各アパーチャ内に配置され、第２の内側リング９６及び第２の外側リング９８を有する。第１のアーム部６４及び第２のアーム部７２夫々におけるリングの間隔は、０．５インチ（１．２７ミリメートル）であり、各リングの半径は０．１インチ（０．２５４ミリメートル）である。
【００２４】
マスク３０が外部源から振動されるとき、マスク３０は、その長さ及びその張力に関係付けられる所定の振動数で振動する。所定の振動数は、テレビジョンセットの大きさと関係無しに一般的に約８０Ｈｚである。振動エネルギーは、マスクの縁４５にもある。スプリット・フート・ダンパ５０は、８０Ｈｚの振動数と適合するよう設計されている。特に、スプリット・フート・ダンパ５０の各半分は、この振動数に到達するよう特定の長さ、幅、及び、厚さに設計されている。
【００２５】
より特定的には、スプリット・フート・ダンパ５０は、マスク３０の共鳴振動数に同調される。振動エネルギーは、マスク３０を主にｚ軸の方向に動かす。マスクがｚ軸の方向に動くと、第１の部分５６及び第３の部分６０は、ｘ軸及びｙ軸の方向に振動し、マスク３０の縁４５の表面と接触し、振動エネルギーを「擦り去る（スクラッブオウェイ）」。
【００２６】
スプリット・フート・ダンパ５０がｘ軸の方向に振動すると、第２の部分５８及び第４の部分６２が縁４５のエッジ４７と可動に接触してもよく、更なる振動エネルギーを擦り去る。
【００２７】
更に、振動エネルギーは、スプリット・フート・ダンパ５０のアーム部６４及び７２にも移動され、結果として複数のリング８６及び９４が振動され、マスク３０の振動エネルギーが散らされる。
【００２８】
素子５１及び５４の特定の構造を記載したが、他の形状及び構造も振動減衰効果を提供するために使用され得る。
【００２９】
本発明の教授を組み込む実施例を示し、詳細に説明したが、当業者は、本発明の精神から逸脱することなくこれら教授をまだ組み込む多数の他の変更された実施例を容易に導き出すことができるであろう。
【図面の簡単な説明】
【図１】本発明による引張マスク‐フレーム組立体を含む、カラー受像管を部分的に軸方向のセクションで示す側面図である。
【図２】図１の引張マスクに取り付けられるスプリット・フート・ダンパの斜視図である。
【図３】スプリット・フート・ダンパを示す図である。
【図４】引張マスクの縁と接触するスプリット・フート・ダンパのスプリット・フート部分を示す図である。
【符号の説明】
１０  陰極線管
１２  ガラス製の外囲器
１４  フェースプレートパネル
１６  ネック部
１８  ファンネル
２０  陽極ボタン
２２  フェースプレート
２４  周辺フランジ
２６  ガラスフリット
２８  スクリーン
３０  マスク
３２  電子銃
３４  ヨーク
３６、３８  長辺
４０、４２  短辺
４５  縁
４７  エッジ
５０  スプリット・フート・ダンパ
５２  第１の素子
５４  第２の素子
５６  第１の部分
５８  第２の部分
６０  第３の部分
６２  第４の部分
６４  第１のアーム部
６６  第１のアーム部の第１の外端
６８  第１のアーム部の第１の内端
７０  第１のレッグ部
７２  第２のアーム部
７４  第２のアーム部の第２の外端
７６  第２のアーム部の第２の内端
７８  第２のレッグ部
８０  部分
８４  第１の複数のアパーチャ
８６  第１の複数のリング
８８  内側リング
９０  外側リング
９２  第２の複数のアパーチャ
９４  第２の複数のリング
９６  第２の内側リング
９８  第２の外側リング
１００  隙間
【図１】
0003927826.tif 000002
【図２】
0003927826.tif 000003
【図３】
0003927826.tif 000004
【図４】
0003927826.tif 000005